(57)【要約】【課題】取り扱いが良好な綴じ書道紙、を提供する。【解決手段】綴じ書道紙は、毛筆用の複数枚の半紙１２を備える。複数枚の半紙１２は、１枚ずつ切り離し可能に綴じられている。【選択図】図２
2008302582.tif 000002
【特許請求の範囲】
【請求項１】
毛筆用の複数枚の書道紙を備え、
複数枚の前記書道紙は、１枚ずつ切り離し可能に綴じられている、綴じ書道紙。
【請求項２】
複数枚の前記書道紙は、互いに紙の縁の部分で接合され、その接合力よりも大きい力が加えられることによって前記書道紙が切り離される、請求項１に記載の綴じ書道紙。
【請求項３】
複数枚の前記書道紙は、再剥離性を有する接着剤によって、互いに紙面上の端の部分で接合され、その接合力よりも大きい力が加えられることによって前記書道紙が切り離される、請求項１または２に記載の綴じ書道紙。
【請求項４】
綴じられた複数枚の前記書道紙と一体に設けられ、書道を行なう書道紙とその裏側の書道紙との間に挿入される下敷きをさらに備える、請求項１から３のいずれか１項に記載の綴じ書道紙。
【発明の詳細な説明】
【技術分野】
【０００１】
この発明は、一般的には、綴じ書道紙に関し、より好適には、学校や習字教室の現場で使用される綴じ書道紙に関する。
【背景技術】
【０００２】
たとえば、特開２００４−１７０７３６号公報には、書道技能における毛筆文字の形およびバランス、筆の運び方、筆圧に加えて、運筆速度をも習得することを目的とした書道用半紙が開示されている（特許文献１）。特許文献１では、文字手本の筆圧の強弱を大小で表わす図形や文字手本の筆の重心位置を表わす点、文字手本の筆順等が、書道用半紙に転写されている。
【特許文献１】特開２００４−１７０７３６号公報
【発明の開示】
【発明が解決しようとする課題】
【０００３】
従来、学校教育や子供の習い事あるいは趣味といった形で、書道が親しまれている。この書道には、書道紙が用いられる。書道用の下敷きに書道紙を載せ、文鎮で固定した状態で書体を書きしるす。しかしながら、従来の書道紙は、持ち運びに不便、紙がばらける、使用前の紙にシワが入るなどといった理由から、取り扱いに難があった。
【０００４】
そこでこの発明の目的は、上記の課題を解決することであり、取り扱いが良好な綴じ書道紙を提供することである。
【課題を解決するための手段】
【０００５】
この発明に従った綴じ書道紙は、毛筆用の複数枚の書道紙を備える。複数枚の書道紙は、１枚ずつ切り離し可能に綴じられている。
【０００６】
このように構成された綴じ書道紙によれば、複数枚の書道紙をまとまった状態で持ち運びできる。また、綴じた状態の書道紙に書道を行なう場合、文鎮が不要となる。また、使用直前あるいは使用後の適当なタイミングで、書道紙を綴じ書道紙から切り離すことができるため、紙がばらけたり紙にシワが入ることを防止できる。これらの理由から、書道紙の取り扱いを良好にできる。
【０００７】
また好ましくは、複数枚の書道紙は、互いに紙の縁の部分で接合される。その接合力よりも大きい力が加えられることによって書道紙が切り離される。このように構成された綴じ書道紙によれば、綴じた状態の書道紙に書道を行なう場合に、文鎮が不要となることに加えて、下敷きを紙の端まで挿入することが可能となる。このため、紙面一杯を使って書道を行なうことができる。
【０００８】
また好ましくは、複数枚の書道紙は、再剥離性を有する接着剤によって、互いに紙面上の端の部分で接合される。その接合力よりも大きい力が加えられることによって書道紙が切り離される。このように構成された綴じ書道紙によれば、綴じ書道紙から切り離された書道紙を、再剥離性を有する接着剤を利用して下敷きに固定したり、所定の場所に止め付けたりできる。
【０００９】
また好ましくは、綴じ書道紙は、綴じられた複数枚の書道紙と一体に設けられ、書道を行なう書道紙とその裏側の書道紙との間に挿入される下敷きをさらに備える。このように構成された綴じ書道紙によれば、綴じた状態の書道紙に書道を行なう場合に、綴じ書道紙に設けられた下敷きを利用する。これにより、綴じ書道紙とは別に下敷きを準備する必要がなくなる。
【発明の効果】
【００１０】
以上説明したように、この発明に従えば、取り扱いが良好な綴じ書道紙を提供することことができる。
【発明を実施するための最良の形態】
【００１１】
この発明の実施の形態について、図面を参照して説明する。なお、以下で参照する図面では、同一またはそれに相当する部材には、同じ番号が付されている。
【００１２】
図１は、この発明の実施の形態における綴じ半紙を示す斜視図である。図２は、図１中の綴じ半紙を開いた状態を示す斜視図である。
【００１３】
図１および図２を参照して、本実施の形態における綴じ半紙１０は、複数枚の半紙１２を含む。半紙１２には、毛筆を用いて書体が書きしるされる。半紙１２は、書道紙であり、一般的な紙とは性質が異なる。その特性としては、墨を吸い込み易い、適度なにじみが生じる、水に強いなどの性質が挙げられる。また、半紙１２を構成する繊維は、一般的な紙と比較して長い。半紙１２は、和紙である。半紙１２は、一般的には中性紙である。半紙１２には表裏が存在し、書体は、裏面よりも平滑性に優れた表面に書きしるされる。半紙１２は、手漉きにより製造されてもよいし、機械漉きにより製造されてもよい。半紙１２は、短辺１３と長辺１４とを有する矩形形状を有する。
【００１４】
なお、本発明における書道紙は、半紙サイズのものに限られず、たとえば半切サイズや全紙サイズのものであってもよい。本発明における書道紙には、書体に限られず、墨や顔料などを用いて水墨画や絵画が描かれてもよい。
【００１５】
複数枚の半紙１２は、互いに重ね合わされている。複数枚の半紙１２は、１枚ずつ切り離し可能に綴じられている。複数枚の半紙１２は、互いにその積層方向において重なる位置で接合されている。複数枚の半紙１２は、互いに半紙１２の一辺で接合されている。複数枚の半紙１２は、半紙１２の一辺の一方端から他方端までの範囲に渡って接合されている。複数枚の半紙１２は、半紙１２の短辺１３で接合されている。なお、複数枚の半紙１２は、半紙１２の長辺１４で接合されてもよい。
【００１６】
複数枚の半紙１２は、短辺１３に沿った、半紙１２の縁の部分で接合されている。複数枚の半紙１２の接合には、接着剤が用いられている。より好ましくは、複数枚の半紙１２の接合には、接着後の剥離を前提とした弱粘性の接着剤が用いられる。綴じ半紙１０は、複数枚の半紙１２が綴じられる側（半紙１２の紙面を平面的に見て短辺１３が配置される側）で外側に面する背１６を含む。その背１６に形成された薄膜状の接着剤の層によって、複数枚の半紙１２が互いに接合されている。半紙１２は、接着剤による接合力よりも大きい力が加えられることによって、綴じ半紙１０から１枚ずつ切り離される。
【００１７】
なお、半紙１２が切り離される構造は、上記構造に限られず適宜変更される。たとえば、半紙１２の短辺１３に切り取り線を設け、その切り取り線に沿って半紙１２を１枚ずつ切り離す構造としてもよい。
【００１８】
図３は、図１中の２点鎖線ＩＩＩで囲まれた範囲を拡大した綴じ半紙の側面図である。図１から図３を参照して、綴じ半紙１０は、表紙２１を含む。表紙２１は、紙から形成されている。表紙２１は、半紙１２よりも大きい剛性を有する。表紙２１を形成する紙は、半紙１２よりも大きい厚みを有する。表紙２１は、綴じられた複数枚の半紙１２を保護するための綴じ半紙１０の外装として設けられている。
【００１９】
表紙２１は、表（おもて）表紙２２および裏表紙２３を含む。表表紙２２と裏表紙２３とは、それぞれ、綴じられた複数枚の半紙１２の両側に配置される。表紙２１は、複数枚の半紙１２が綴じられる側と同じ側で複数枚の半紙１２に対して綴じられている。
【００２０】
綴じ半紙１０は、下敷き２５を含む。下敷き２５は、書道を行なおうとする半紙１２ｐと、その裏側の半紙１２ｑとの間に挿入される。下敷き２５は、綴じられた複数枚の半紙１２と一体に設けられている。下敷き２５は、表紙２１と一体に設けられている。下敷き２５は、表表紙２２と裏表紙２３との間に収まる。半紙１２の紙面を平面的に見て、半紙１２と下敷き２５とは、ほぼ等しい面積を有する。下敷き２５は、一方端を把持した場合に、一方端と他方端との間で撓む程度に柔軟性を有する。
【００２１】
下敷き２５は、ベース部としての厚紙部２５ｍと、撥水部としてのフェルト部２５ｎとを含む。厚紙部２５ｍとフェルト部２５ｎとが積層された状態で、下敷き２５が構成されている。厚紙部２５ｍは、フェルト部２５ｎよりも大きい剛性を有する。厚紙部２５ｍは、墨をほぼ通さない機能を有する。厚紙部２５ｍは、厚めの紙から形成されており、本実施の形態では表紙２１と同じ材料から形成されている。厚紙部２５ｍに替えて、樹脂製のシート部材をベース部として設けてもよい。フェルト部２５ｎは、不織布であるフェルトから形成されている。フェルト部２５ｎは、適度な撥水性で紙面上の墨を所望の状態に保持する役割と、筆圧を受けるクッションとしての役割とを果たす。フェルト部２５ｎは、化学繊維から形成されてもよいし、羊毛から形成されてもよい。
【００２２】
厚紙部２５ｍは、表紙２１に一体に設けられている。厚紙部２５ｍは、裏表紙２３から、複数枚の半紙１２が綴じられた側とは反対側に延出する。厚紙部２５ｍと裏表紙２３との間は、接続部２４ｇを介在させて接続されている。接続部２４ｇは、綴じられた複数枚の半紙１２の側部に配置される。接続部２４ｇは、裏表紙２３との間および下敷き２５との間のそれぞれで折り曲げられている。このような構成により、綴じ半紙１０に残る半紙１２の厚みに合わせて接続部２４ｇの傾きを変化させ、下敷き２５を適当な高さに位置決めすることができる。
【００２３】
なお、厚紙部２５ｍと裏表紙２３とは、別々の紙材が接続された形態で設けられてもよいし、一続きの紙材が折り曲げられた形態で設けられてもよい。また、下敷き２５が半紙１２の長辺１４側から挿入されるように、厚紙部２５ｍを裏表紙２３から延出させてもよい。本発明において、下敷き２５は必ずしも設けられる必要はない。
【００２４】
続いて、図１中の綴じ半紙１０の使用の形態について説明する。図１を参照して、綴じ半紙１０は、下敷き２５が表表紙２２と裏表紙２３との間に挟まれ、表紙２１に収まった形態で持ち運びされる。本実施の形態では、複数枚の半紙１２が綴じられた状態で持ち運びされるため、その持ち運びに際して半紙１２がばらけたり、使用前の半紙１２にシワが入るということがない。
【００２５】
図２および図３を参照して、綴じ半紙１０を用いて書道を行なう場合、まず、表表紙２２および下敷き２５をめくり、半紙１２に重なった状態から開いた状態にする。書道を行なおうとする半紙１２ｐと、その裏側の半紙１２ｑとの間に、下敷き２５を挿入する。下敷き２５は、フェルト部２５ｎと半紙１２ｐとが接触し、厚紙部２５ｍと半紙１２ｑとが接触するように位置決めされる。
【００２６】
図４は、図１中の綴じ半紙の使用形態を示す斜視図である。図４を参照して、綴じ半紙１０に綴じられた状態の半紙１２ｐに書体を書きしるす。本実施の形態では、半紙１２ｐの短辺１３が綴じ半紙１０に対して固定されている。また、下敷き２５は、高剛性の厚紙部２５ｍを含んで構成されている。このような構成により、安定した土台の上に半紙１２ｐを確実に固定した状態で書体を書きしるすことができる。また、フェルト部２５ｎに厚紙部２５ｍを積層することにより、フェルト部２５ｎに染み込んだ墨が半紙１２ｐの下の半紙１２に裏通りすることを防止できる。
【００２７】
また、本実施の形態では、半紙１２ｐは綴じ半紙１０に対して固定された状態にあるため、半紙１２ｐの上に文鎮を置く必要がなくなる。また、文鎮が不要であるため、半紙１２ｐの紙面の全体に書体を書くことができる。特に図２中に示す形態においては、複数枚の半紙１２が紙の縁の部分で接合されているため、下敷き２５を半紙１２の端まで挿入することができる。このため、下敷き２５の位置を気に掛けることなく、紙面全体に書体を書きしるすことができる。
【００２８】
また、半紙１２には表裏が存在する。学校等で使用される練習用の半紙の場合、児童にとって表裏の見分けが付き難い。このような場合であっても、半紙１２ｐを綴じ半紙１０に綴じた状態で書道を行なうことにより、半紙の表裏を取り違えるおそれがなくなる。
【００２９】
書体を書いた後、半紙１２ｐを綴じ半紙１０から切り離す。再び、半紙１２ｑと半紙１２ｑの裏側にある半紙１２との間に下敷き２５を挿入し、書道を続けて行なう。
【００３０】
なお、綴じ半紙１０の別の使用形態として、綴じ半紙１０から切り離した状態の半紙１２に書体を書きしるす場合も想定される。この場合にも、半紙１２の持ち運びが便利になるという効果が得られる。
【００３１】
また、綴じた状態の半紙１２に書体を書きしるした後、その半紙１２を切り離さず、表表紙２２側にめくった状態にして、書道を続けることも可能である。従来、書写を終えた半紙を机の下の足元に並べるなどして、その置き場に困っていた。この場合、書写後の半紙１２が散らばらず、その置き場所に困るということもない。
【００３２】
この発明の実施の形態における綴じ書道紙としての綴じ半紙１０は、毛筆用の複数枚の書道紙としての半紙１２を備える。複数枚の半紙１２は、１枚ずつ切り離し可能に綴じられている。
【００３３】
このように構成された、この発明の実施の形態における綴じ半紙１０によれば、従来使用されていた半紙１２を入れる袋や文鎮、下敷きを、綴じ半紙１０とは別に準備する必要がなくなる。つまり、複数枚の半紙１２を、文鎮および下敷きの機能を兼ね備えた綴じ半紙１０として持ち運ぶことができる。このため、たとえば、学校などで使用される習字セットをコンパクトに構成することができる。
【００３４】
また、学校や習字教室において書道を学ぶ場合、生徒が使用する机は小さく、半紙や手本、硯などの道具を置くと机の上が一杯になる。本実施の形態における綴じ半紙１０を用いることによって使用前の半紙や文鎮の置き場所が不要となるため、綴じ半紙１０は特にこのような使用状況において有効に利用される。
【００３５】
図５は、図１中の綴じ半紙の変形例を示す斜視図である。図５を参照して、本変形例では、複数枚の半紙１２が、短辺１３に沿った、半紙１２の紙面上の端の部分３５で接合されている。部分３５は、半紙１２の紙面上で帯状に延在する。複数枚の半紙１２の接合には、複数回の接着、剥離の繰り返しを前提にした再剥離性の接着剤が用いられている。このような構成により、書写を終えた半紙１２を綴じ半紙１０から切り離し、その後、再剥離性の接着剤を利用して別の場所に貼り付けることができる。たとえば、半紙１２を黒板に貼って批評したり、壁に貼って掲示したりできる。
【００３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３７】
【図１】この発明の実施の形態における綴じ半紙を示す斜視図である。
【図２】図１中の綴じ半紙を開いた状態を示す斜視図である。
【図３】図１中の２点鎖線ＩＩＩで囲まれた範囲を拡大した綴じ半紙の側面図である。
【図４】図１中の綴じ半紙の使用形態を示す斜視図である。
【図５】図１中の綴じ半紙の変形例を示す斜視図である。
【符号の説明】
【００３８】
１０  綴じ半紙、１２，１２ｐ，１２ｑ  半紙、１３  短辺、１４  長辺、１６  背、２１  表紙、２２  表表紙、２３  裏表紙、２４ｇ  接続部、２５  下敷き、２５ｍ  厚紙部、２５ｎ  フェルト部、３５  部分。
【図１】
2008302582.tif 000003
【図２】
2008302582.tif 000004
【図３】
2008302582.tif 000005
【図４】
2008302582.tif 000006
【図５】
2008302582.tif 000007